(57)【要約】【課題】構成部材であるコーナー部材の製造がしやすいコーナー部構造及びコーナー部材を提供する。【解決手段】コーナー部構造は、コーナー部下地１と、複数のコーナー部材４と、複数の建築用板３と、を備える。複数のコーナー部材４は、コーナー部下地１に取り付けられている。複数の建築用板３は、複数のコーナー部材４に隣接する。コーナー部材４は、コーナー部下地１に沿って互いに固定された一対の板材４１，４２を有する。一対の板材４１，４２は、一方の板材４１の端面４１１が他方の４２の裏面４２１に対向して接触している。複数の建築用板３及び複数のコーナー部材４は、一部が重なって階段状に配置されている。コーナー部材４の曝露部４７におけるコーナー部に沿った方向の幅Ｗ１は、隣接する建築用板３の曝露部３６におけるコーナー部に沿った方向の幅Ｗ２と同じである。【選択図】図４
2020122353.tif 000002
【特許請求の範囲】
【請求項１】
コーナー部下地と、
前記コーナー部下地に取り付けられた複数のコーナー部材と、
前記複数のコーナー部材に隣接する複数の建築用板と、を備え、
前記コーナー部材は、前記コーナー部下地に沿って互いに固定された一対の板材を有し、前記一対の板材は、一方の板材の端面が他方の板材の裏面に対向して接触しており、
前記複数の建築用板及び前記複数のコーナー部材は、一部が重なって階段状に配置され、
前記コーナー部材の曝露部における前記コーナー部に沿った方向の幅は、隣接する前記建築用板の曝露部における前記コーナー部に沿った方向の幅と同じである、
コーナー部構造。
【請求項２】
前記コーナー部材は、非曝露部分において、前記コーナー部下地に対して固定具で固定されている、
請求項１記載のコーナー部構造。
【請求項３】
コーナー部に用いられるコーナー部材であって、
一方の板材の端面が他方の板材の裏面に対向して接触する一対の板材を備える、
コーナー部材。
【発明の詳細な説明】
【技術分野】
【０００１】
本発明は、コーナー部構造及びこれに用いられるコーナー部材に関する。
【背景技術】
【０００２】
特許文献１には、鎧張りの壁の隅部の構造が開示されている。この構造では、隅部の両側に鎧張りされた断熱材付下見板の間を覆うように隅部材が配設されている。
【０００３】
隅部材は、台形状の板を折り曲げて２つの化粧面を形成し、一端にＬ字状断面の係合部を外側に折り曲げ、相対する他端にフック状の係止部を内側に折り曲げてなり、また、化粧面の左右端に内側に折り曲げた屈曲部を有している。
【先行技術文献】
【特許文献】
【０００４】
【特許文献１】特開昭５９−２０３１５５号公報
【発明の概要】
【発明が解決しようとする課題】
【０００５】
上述した隅部材は、一枚の板を何度も折り曲げ加工して形成している。このため、隅部材を製造しにくいものであった。
【０００６】
また、例えば窯業系材料にて形成される隅部材の場合、現場にて、二つの部材の互いに突き合わされるそれぞれの端面を、部材の外面に対して４５度をなすようにカットして、カットした端面をそれぞれ突き合わせて隅部材を形成していた。この場合、部材の外面に対して４５度をなすようにカットし、両傾斜面を位置合せしながら接合する必要があるため、製造に手間がかかるものであった。
【０００７】
本発明は前記事情に鑑みてなされたものであって、構成部材であるコーナー部材の製造がしやすいコーナー部構造及びこのコーナー部構造に用いられるコーナー部材を提供することを目的とする。
【課題を解決するための手段】
【０００８】
本発明に係る一態様のコーナー部構造は、コーナー部下地と、複数のコーナー部材と、複数の建築用板と、を備える。前記複数のコーナー部材は、前記コーナー部下地に取り付けられている。前記複数の建築用板は、前記複数のコーナー部材に隣接する。前記コーナー部材は、前記コーナー部下地に沿って互いに固定された一対の板材を有する。前記一対の板材は、一方の板材の端面が他方の板材の裏面に対向して接触している。前記複数の建築用板及び前記複数のコーナー部材は、一部が重なって階段状に配置されている。前記コーナー部材の曝露部における前記コーナー部に沿った方向の幅は、隣接する前記建築用板の曝露部における前記コーナー部に沿った方向の幅と同じである。
【０００９】
また、本発明に係る一態様のコーナー部に用いられるコーナー部材は、一方の板材の端面が他方の板材の裏面に対向して接触する一対の板材を備える。
【発明の効果】
【００１０】
本発明に係るコーナー部材は製造しやすく、このコーナー部材が用いられるコーナー部構造も製造しやすい。
【図面の簡単な説明】
【００１１】
【図１】図１は、本発明に係る一実施形態のコーナー部構造を示す斜視図である。
【図２】図２は、同上のコーナー部構造の水平断面図である。
【図３】図３は、同上のコーナー部構造に用いられるコーナー部材の斜視図である。
【図４】図４は、同上のコーナー部材の分解斜視図である。
【発明を実施するための形態】
【００１２】
以下に示す実施形態は、コーナー部構造及びこれに用いられるコーナー部材に関し、詳しくは、コーナー部を有する壁下地に複数の建築用板が上下方向に複数段鎧張りされたコーナー部構造及びこれに用いられるコーナー部材に関する。
【００１３】
図１及び図２に示す本実施形態のコーナー部構造は、住宅等の建物における外壁のコーナー部を構成している。本実施形態のコーナー部構造は、コーナー部１０を有するコーナー部下地１と、複数の建築用板（外壁材）３と、複数のコーナー部材４と、を備えている。複数の建築用板３は、複数のコーナー部材４に隣接する。複数の建築用板３は、コーナー部下地１に対して上下方向に複数段鎧張りされる。複数のコーナー部材４は、コーナー部下地１に取り付けられる。複数のコーナー部材４は、コーナー部１０を介して隣り合う一対の建築用板３の間を覆う。
【００１４】
（コーナー部下地）
図２に示すように、本実施形態のコーナー部下地１は、複数の下地板１１で構成されている。複数の下地板１１は、コーナー部柱１２を含む構造用面材１６、透湿防水シート１３を介して複数の縦胴縁１４に固定されている。各下地板１１は、例えば合板又はＯＳＢ（OrientedStrandBoard）等の木質系ボードからなる。なお、コーナー部下地１は、胴縁や柱材等から構成されてもよい。
【００１５】
複数の下地板１１は、コーナー部柱１２に縦胴縁１４を介して固定された一対の下地板１１０，１１１を含んでいる。一対の下地板１１０，１１１は、コーナー部柱１２の屋外側において、一方の下地板１１０の裏面に他方の下地板１１１の端面が接している。これにより、一対の下地板１１０，１１１は、平面視において直角に交わっている。本実施形態ではこれら一対の下地板１１０，１１１で成す直角の角部が、コーナー部下地１のコーナー部１０となっている。
【００１６】
コーナー部下地１は、一対の下地板１１０，１１１のうちの一方の下地板１１０の表面で構成された第１下地面２１と、他方の下地板１１１の表面とこれと面一の下地板１１０の端面とで構成された第２下地面２２とを備えている。第１下地面２１と第２下地面２２は、コーナー部１０を介して隣接しており、互いに垂直である。
【００１７】
（建築用板）
コーナー部下地１には、複数の建築用板３が取り付けられる。複数の建築用板３は、上下に隣接する建築用板３の一部が重なるように階段状に配置されて、上下方向に複数並んでいる。具体的には、複数の建築用板３は、防水紙１５を介して上下方向に複数段鎧張りされている。本実施形態の建築用板３は、平板状の窯業系サイディングであり、正面視で左右方向（コーナー部下地１に沿った水平な方向）に長い矩形板状に形成されている。なお、建築用板３は、無垢材や集成材等の木製外壁材や、天然スレート等であってもよい。また、建築用板３は、その他の平型化粧スレートや金属サイディングなどであってもよい。
【００１８】
建築用板３は、下部（上下方向の中央部よりも下側の部分）が下段の建築用板３の上部（上下方向の中央部よりも上側の部分）の表面に重なっている。建築用板３において上段の建築用板３に覆われる上部には、図示しない釘等の固定具が複数貫通している。これら複数の固定具は、コーナー部下地１に打ち込まれている。これにより、建築用板３はコーナー部下地１に固定されている。本実施形態の建築用板３は、上端部の表面が１段上の建築用板３と２段上の建築用板３とで２重に覆われている。
【００１９】
各段の複数の建築用板３は、コーナー部１０の両側に位置する一対の建築用板３１，３２を含んでいる。一対の建築用板３１，３２は、互いに上下方向の位置を揃えて、コーナー部１０を介して隣り合っている。
【００２０】
一対の建築用板３１，３２の間には、コーナー部１０の屋外側に位置する隙間３３が形成されている。以下、必要に応じて、一対の建築用板３１，３２のうち、コーナー部下地１の第１下地面２１に沿った建築用板３を第１建築用板３１といい、第２下地面２２に沿った建築用板３を第２建築用板３２という。
【００２１】
第１建築用板３１のコーナー部１０側端は、第１下地面２１のコーナー部１０側端よりも第２下地面２２とは反対側に控えて位置している。第１建築用板３１のコーナー部１０側端に対向するように、コーナー部下地１に縦胴縁３４が固定されている。同様に第２建築用板３２のコーナー部１０側端は、第２下地面２２のコーナー部１０側端よりも第１下地面２１とは反対側に控えて位置している。第２建築用板３２のコーナー部１０側端に対向するように、コーナー部下地１に縦胴縁３５が固定されている。
【００２２】
（コーナー部材）
図１に示すように、コーナー部下地１のコーナー部１０の屋外側には、建築用板３の段数と同数のコーナー部材４が、上下に隣接するコーナー部材４の一部が重なるように階段状に配置されて、上下方向に複数並んでいる。言い換えると、複数のコーナー部材４は、上下方向に複数段鎧張りされている。コーナー部材４は、複数の建築用板３の各段において一対の建築用板３１，３２の各コーナー部１０側の端部及び縦胴縁３４，３５を覆っている。
【００２３】
図３及び図４に示す本実施形態のコーナー部材４は、窯業系材料により形成されるもので、建築用板３と同じ材料により形成される。なお、コーナー部材４は、金属材や無垢材や集成材等の木製外壁材や、天然スレート等により形成されてもよい。
【００２４】
コーナー部材４の上下長さは、対応する一対の建築用板３１，３２の各々の上下長さよりも短い。また、コーナー部材４の上下長さは、対応する一対の建築用板３１，３２の各々における上下方向の働き幅（上段の建築用板３によって覆われずに露出した部分の上下長さ）よりも長い。コーナー部材４は、カバー部４０を備えている。
【００２５】
カバー部４０は、図１に示すように、コーナー部下地１のコーナー部１０を含むコーナー部分に沿って水平断面Ｌ字状に形成されている。図４に示すように、カバー部４０は、平面視で略直角に交わった一対の板材４１，４２を有している。以下、必要に応じて、一対の板材４１，４２のうち、第１建築用板３１側に位置する板材４１を第１板材４１といい、第２建築用板３２側に位置する板材４２を第２板材４２という。
【００２６】
第１板材４１は、第１建築用板３１の表面と平行な平板状に形成されている。第２板材４２は、第１板材４１の第１建築用板３１とは反対側端から略直角に突出し、第２建築用板３２の表面と平行な平板状に形成されている。一対の板材（第１板材４１及び第２板材４２）は、コーナー部下地１に沿って互いに固定される。第１板材４１の端面４１１が、第２板材４２の裏面４２１に対向して接触している。本実施形態では、第１板材４１の端面４１１が、第２板材４２の裏面４２１に接触しているが、接触する必要はなく、互いに対向するのみでもよい。
【００２７】
第１板材４１と第２板材４２とは、連結部材４３により連結される。連結部材４３は、第１板材４１と対向する第１片４３１と、第２板材４２と対向する第２片４３２とを有するＬ字状に形成されている。第１片４３１の外面と第２片４３２の外面に跨って両面テープ４４が貼付されている。第１板材４１は、第１片４３１の外面に貼付された両面テープ４４により第１片４３１の外面に固定される。第２板材４２は、第２片４３２の外面に貼付された両面テープ４４により第２片４３２の外面に固定される。第１板材４１と第２板材４２とが連結部材４３及び両面テープ４４を介して互いに固定されて、図３に示すコーナー部材４が構成される。
【００２８】
また、コーナー部材４には、釘等からなる固定具４５が通される固定具用孔４６が形成されている。本実施形態では、第１板材４１と第２板材４２のそれぞれにおいて、上下に間隔をあけた二箇所に固定具用孔４６が形成されている。なお、コーナー部材４に形成される固定具用孔４６の個数は限定されず、また、コーナー部材４に固定具用孔４６が形成されなくてもよい。
【００２９】
図１に示すように、カバー部４０は、第１建築用板３１のコーナー部１０側の端部から第２建築用板３２のコーナー部１０側の端部に亘ってカバーする。具体的に第１板材４１におけるコーナー部１０とは反対側（第２板材４２とは反対側）の端部は、第１建築用板３１のコーナー部１０側の端部の表面に沿っており、第２板材４２におけるコーナー部１０とは反対側（第１板材４１とは反対側）の端部は、第２建築用板３２のコーナー部１０側の端部の表面に沿っている。これにより、第１板材４１と第２板材４２とで、第１建築用板３１のコーナー部１０側の端部、第２建築用板３２のコーナー部１０側の端部及び第１建築用板３１と第２建築用板３２との間の隙間３３（図２参照）が屋外側から覆われている。
【００３０】
カバー部４０の両側端部における上端部は、当該コーナー部材４の両側に配置された一対の建築用板３１，３２と、この上段に配置された一対の建築用板３１，３２との間に差し込まれている。このため、当該コーナー部材４の両側に配置された一対の建築用板３１，３２と、この上段に配置された一対の建築用板３１，３２との間に浸入した雨水が横走りしたとしても、この雨水はコーナー部材４のカバー部４０で受けられて、下方に排出される。したがって、前記横走りした雨水は、一対の建築用板３１，３２の間のコーナー部下地１に至りにくい。
【００３１】
コーナー部材４の上端部の屋外側には、上段のコーナー部材４の下端部が重なっている。これにより、コーナー部材４の各板材４１，４２の上端部は、上段のコーナー部材４によって覆われている。
【００３２】
（施工）
複数の建築用板３及び複数のコーナー部材４は、例えば以下のように施工される。図２に示すように、まず、コーナー部下地１の第１下地面２１及び第２下地面２２の各々に、複数の建築用板３が上下方向に複数段鎧張りされる。このとき、建築用板３は第１下地面２１及び第２下地面２２の各々において、下方の建築用板３から順に施工される。すなわち、各下地面２１，２２においては、まず、最下段の建築用板３が施工される。この最下段の建築用板３の施工は、建築用板３をコーナー部下地１に沿って配置し、この後、複数の固定具を建築用板３を通してコーナー部下地１に打入することで行われる。
【００３３】
次に下から２段目の建築用板３が施工される。このとき、建築用板３は、その下部が下段の建築用板３の上部の屋外側に重ねられ、この状態で複数の固定具が建築用板３の上端部を通してコーナー部下地１に打入されることで、コーナー部下地１に固定される。そして、以後同様に、下段の建築用板３の上部に上段の建築用板３の下部が重なるように１段ずつ複数の建築用板３が順に施工され、これにより、第１下地面２１及び第２下地面２２の各々において、上下複数段の建築用板３が固定される。
【００３４】
次に複数のコーナー部材４が施工される。複数のコーナー部材４は、下方のコーナー部材４から順に施工される。最下段のコーナー部材４の施工では、まず、コーナー部材４が、最下段の一対の建築用板３１，３２を覆うように配置される。この後、釘等からなる固定具４５がコーナー部材４に形成された固定具用孔４６（図３及び図４参照）を通してコーナー部下地１に打入されることで、コーナー部材４はコーナー部下地１に固定される。
【００３５】
本実施形態では、第１板材４１と第２板材４２はそれぞれ、上下二箇所に固定具用孔４６が形成されている。第１板材４１と第２板材４２は、一箇所のみに固定具用孔４６が形成されるとすればこの固定具用孔４６に通される固定具４５を中心に回転してしまうところ、上下二箇所の固定具４５により回転が規制される。
【００３６】
また、コーナー部材４は、非曝露部分において、コーナー部下地１に対して固定具４５で固定されている。非曝露部分は、コーナー部材４の表面のうち、隣接するコーナー部材４に覆われる部分である。また、図１に示すように、コーナー部材４の表面のうち、隣接するコーナー部材４に覆われない部分を曝露部４７とする。同様に、建築用板３の表面のうち、隣接する建築用板３に覆われない部分を曝露部３６とする。このように、非曝露部分において固定具４５により固定されるため、固定具４５が見えず、見栄えがよい。
【００３７】
次に下から２段目のコーナー部材４が施工される。このコーナー部材４の施工も、最下段のコーナー部材４と同様である。これによりコーナー部材４は対応する一対の建築用板３１，３２の間においてコーナー部下地１に固定される。そして、以後同様に、下方に位置するコーナー部材４から順番に施工され、これにより、上下複数のコーナー部材４が、コーナー部下地１に固定される。
【００３８】
ここで、コーナー部材４の曝露部４７におけるコーナー部１０に沿った方向（上下方向）の幅Ｗ１は、隣接する建築用板３の曝露部３６におけるコーナー部１０に沿った方向の幅Ｗ２と同じである。また、コーナー部材４の曝露部４７の下端（上端）と、隣接する建築用板３の曝露部３６の下端（上端）とは、同じ高さに位置して連続している。このため、建築用板３の曝露部３６とコーナー部材４の曝露部４７とが連続して、建築用板３とコーナー部材４とが一体となっているように見えて、見栄えがよい。特に、建築用板３の曝露部３６とコーナー部材４の曝露部４７とが同じ材料にて形成されているため、建築用板３の曝露部３６とコーナー部材４の曝露部４７とがより一体的に見える。更に、建築用板３の曝露部３６とコーナー部材４の曝露部４７とを同じ色とすることで、更に一層、建築用板３の曝露部３６とコーナー部材４の曝露部４７とが一体的に見える。
【００３９】
なお、建築用板３の表面のうち、曝露部３６に対応する部分には、耐候性を有する塗料を厚く塗装し、曝露部３６に対応しない部分には、耐候性を有する塗料を薄く塗装してもよい。この場合、コーナー部材４は、建築用板３の曝露部３６に対応する部分を用いて形成することが好ましい。
【００４０】
本実施形態では、複数のコーナー部材４が、上下複数段の建築用板３の施工後に施工される。このため、図２に示すように、複数の建築用板３を施工するにあたって、例えば第１下地面２１に上下複数段の建築用板３を鎧張り施工した後、第２下地面２２に上下複数段の建築用板３を鎧張り施工することができ、複数の建築用板３を第１下地面２１及び第２下地面２２の各々で独立して施工することができる。
【００４１】
なお、各コーナー部材４は、コーナー部下地１の第１下地面２１及び第２下地面２２に、建築用板３が一段施工される度に施工されてもよい。この場合、コーナー部材４を施工するときには、対応する一対の建築用板３１，３２よりも上段の建築用板３１，３２は未だ施工されていないため、コーナー部材４を施工するときに上段の建築用板３１，３２が邪魔にならず、コーナー部材４を容易に施工することが可能になる。
【００４２】
本実施形態では、図４に示すように、コーナー部材４が一対の平板状をした板材４１，４２を有し、一方の板材４１の端面４１１が他方の４２の裏面４２１に対向して接触している。このため、平板状をした板材４１，４２を容易に組み立てることができて、従来例のように一枚の板を何度も折り曲げ加工して形成する隅部材と比較して、コーナー部材４を製造しやすい。また、このコーナー部材４が用いられるコーナー部構造の製造（施工）もしやすい。  
【００４３】
また、現場にて、二つの部材の突き合わせ端面を斜めにカットするもののように、二つの部材（板材４１，４２）間に隙間が生じにくい。
【００４４】
以上、述べた実施形態から明らかなように、第１の態様のコーナー部構造は、コーナー部下地１と、複数のコーナー部材４と、複数の建築用板３と、を備える。複数のコーナー部材４は、コーナー部下地１に取り付けられている。複数の建築用板３は、複数のコーナー部材４に隣接する。コーナー部材４は、コーナー部下地１に沿って互いに固定された一対の板材４１，４２を有する。一対の板材４１，４２は、一方の板材４１の端面４１１が他方の４２の裏面４２１に対向して接触している。複数の建築用板３及び複数のコーナー部材４は、一部が重なって階段状に配置されている。コーナー部材４の曝露部４７におけるコーナー部に沿った方向の幅Ｗ１は、隣接する建築用板３の曝露部３６におけるコーナー部に沿った方向の幅Ｗ２と同じである。
【００４５】
第１の態様によれば、コーナー部材４が一対の板材４１，４２を有し、一方の板材４１の端面４１１が他方の４２の裏面４２１に対向して接触しているため、平板状をした板材４１，４２を容易に組み立て可能で、コーナー部材４を製造しやすく、板材４１，４２間に隙間が生じにくい。従って、このコーナー部材４が用いられるコーナー部構造も製造（施工）がしやすく、板材４１，４２間に隙間が生じにくい。
【００４６】
また、コーナー部材４の曝露部４７の幅Ｗ１と、隣接する建築用板３の曝露部３６の幅Ｗ２とが同じであるため、建築用板３の曝露部３６とコーナー部材４の曝露部４７とが連続して、建築用板３とコーナー部材４とが一体となっているように見えて、見栄えがよい。
【００４７】
第２の態様では、第１の態様との組み合わせにより実現され得る。第２の態様では、コーナー部材４は、非曝露部分４８において、コーナー部下地１に対して固定具４５で固定されている。
【００４８】
第２の態様によれば、非曝露部分において固定具４５により固定されるため、固定具４５が見えず、見栄えがよい。
【００４９】
第３の態様は、コーナー部１０に用いられるコーナー部材４である。コーナー部材４は、一方の板材４１の端面４１１が他方の板材４２の裏面４２１に対向して接触する一対の板材４１，４２を備える。
【００５０】
第３の態様によれば、コーナー部材４が一対の板材４１，４２を有し、一方の板材４１の端面４１１が他方の４２の裏面４２１に対向して接触しているため、平板状をした板材４１，４２を容易に組み立て可能で、コーナー部材４を製造しやすく、板材４１，４２間に隙間が生じにくい。
【符号の説明】
【００５１】
１    コーナー部下地
１０  コーナー部
３    建築用板
３６  曝露部
４    複数のコーナー部材
４１  板材
４１１  端面
４２  板材
４２１  裏面
４５  固定具
４７  曝露部
４８  非曝露部分
Ｗ１  幅
Ｗ２  幅
【図１】
2020122353.tif 000003
【図２】
2020122353.tif 000004
【図３】
2020122353.tif 000005
【図４】
2020122353.tif 000006